(57)【要約】【課題】既検出パスとは異なるパスタイミングを良好な検出率で検出することを可能とする。【解決手段】補正部１５ａは、プロファイル生成部１２により生成されてＲＡＭ１３に記憶された遅延プロファイルから、既検出である既検出パスに相当する既検出パスタイミングの相関値をキャンセルするとともに、その既検出パスタイミングに対して相対的に所定の符号タイミングに関して遅延プロファイルに表わされた相関値をその符号タイミングと既検出パスタイミングとのタイミング差に応じた所定値および既検出パスタイミングに関して既検出の相関値に基づいて変換することで遅延プロファイルを補正する。検出制御部１５ｂは、補正部１５ａにより補正された後の遅延プロファイルを対象としてパス候補の検出を行うようピーク検出部１４を制御する。【選択図】    図１
2005039464.tif 000002
【特許請求の範囲】
【請求項１】
所定符号系列が伝送される所定チャネルに関する受信信号と様々な符号タイミングの前記所定符号系列との相関値をそれぞれ表わした遅延プロファイルを生成する生成手段と、
この生成手段により生成された前記遅延プロファイルから１つの既検出パスに相当する既検出パスタイミングの相関値をキャンセルするとともに、前記既検出パスタイミングに対して相対的に所定の符号タイミングに関して前記遅延プロファイルに表わされた相関値をその符号タイミングと前記既検出パスタイミングとのタイミング差に応じた所定値および前記既検出パスタイミングに関して既検出の相関値に基づいて変換することで前記遅延プロファイルを補正する補正手段と、
この補正手段により補正されたのちの前記遅延プロファイルに基づいて前記既検出パス以外のパスの検出を行う検出手段とを具備したことを特徴とするパスサーチ回路。
【請求項２】
所定符号系列が伝送される所定チャネルに関する受信信号と様々な符号タイミングの前記所定符号系列との相関値をそれぞれ表わした遅延プロファイルを生成する生成手段と、
この生成手段により生成された前記遅延プロファイルから複数の既検出パスのそれぞれに相当する既検出パスタイミングの相関値をキャンセルするとともに、前記既検出パスタイミングに対して相対的に所定の符号タイミングに関して前記遅延プロファイルに表わされた相関値をその符号タイミングと前記既検出パスタイミングとのタイミング差に応じた所定値および前記既検出パスタイミングに関して既検出の相関値に基づいて変換することで前記遅延プロファイルを補正する補正手段と、
この補正手段により補正されたのちの前記遅延プロファイルに基づいて前記既検出パス以外のパスの検出を行う検出手段とを具備したことを特徴とするパスサーチ回路。
【請求項３】
前記所定符号系列はＷ−ＣＤＭＡ方式で規定された１６チップ長の所定の直交符号を１６個の変調パターンで繰り返してなる２５６チップ長の符号系列であり、
前記所定チャネルは前記Ｗ−ＣＤＭＡ方式で規定されたＰ−ＳＣＨであり、
前記補正手段が相関値を変換する対象とする符号タイミングは前記所定符号系列の自己相関が大きくなる所定の符号タイミングであり、
さらに前記所定値は前記補正手段が相関値を変換する対象とする符号タイミングにおける前記所定符号系列の自己相関の影響の度合を考慮して定められた値であることを特徴とする請求項１または請求項２に記載のパスサーチ回路。
【発明の詳細な説明】
【０００１】
【発明の属する技術分野】
本発明は、例えばＷ−ＣＤＭＡ方式に準拠した移動通信端末に用いられ、例えば周辺セルサーチなどのためにパス検出を行うパスサーチ回路に関する。
【０００２】
【従来の技術】
Ｗ−ＣＤＭＡ方式は基地局間非同期システムであるため、基地局と移動局との間で無線リンクを接続する際には、まず同期チャネルを用いて相関検出を行う必要がある。このとき、高速なセルサーチを実現するために３段階のセルサーチ方法が提案されている（例えば非特許文献１を参照）。
【０００３】
第一セルサーチと呼ばれる第一ステップにおいては、移動局は、全セル共通である符号長２５６チップの符号系列が伝送されているＰ−ＳＣＨ（Ｐｒｉｍａｒｙ−ＳＣＨ）に関する受信信号と上記の符号系列との相関をマッチトフィルタを用いて検出し、その検出結果に基づいて受信パスの位相を検出する。
【０００４】
このようなマッチトフィルタを用いたパス検出では、受信信号に含まれているＰ−ＳＣＨと符号系列との相関値を１スロットの範囲で計算する。この計算された相関値を、フェージング変動の影響を低減するために一定時間平均化することで１スロット分の相関値リスト、いわゆる遅延プロファイルを生成する。そしてこの遅延プロファイルの中で相対的に大きな相関値を検出し、その位相を有効な受信電力が得られるセルからのパスタイミングとみなす。これは、Ｐ−ＳＣＨで用いる符号系列は自己相関特性が直交しているために、あるピークが他の位相に影響を与えることはないという前提に基づいている。
【０００５】
ところでセルサーチには、電源立ち上げ時に最も受信電力の大きなセルを検出するモードと、ソフトハンドオーバに入る前、あるいは通信待ち受け時における間欠受信において複数のセルを検出する周辺セルサーチモードとがある。そして周辺セルサーチモードにおいては通常、同一周波数の複数のセルを検出する際には、第一セルサーチにおいては遅延プロファイルから単純に相関値の大きい順にいくつかのピークを候補として選択し、後段のセルサーチブロックに送る。
【０００６】
このような周辺セルサーチモードの際に、既に既検出パスとして検出されたパスに関する相関値を遅延プロファイルから事前にキャンセルしておく技術が知られている（特許文献１を参照）。
【０００７】
【特許文献１】
特開２００１−１１９３２１号公報
【０００８】
【非特許文献１】
３ＧＰＰ  ＴＳ２５．２１１  ”Ｐｈｙｓｉｃａｌ  ｃｈａｎｎｅｌ  ａｎｄ  ｍａｐｐｉｎｇ  ｏｆ  ｔｒａｎｓｐｏｒｔ  ｃｈａｎｎｅｌｓ  ｏｎｔｏ  ｐｈｙｓｉｃａｌ  ｃｈａｎｎｅｌｓ（ＦＤＤ）”
【０００９】
【発明が解決しようとする課題】
ところでＰ−ＳＣＨの符号系列としては、移動局のマッチトフィルタ構成を簡単にするために、１６チップ長の直交符号系列をタイムシフトした自己相関ピークが小さくなるような１６個の変調パターンで繰り返してなる２５６チップ長の符合系列が用いられている。
【００１０】
上記のように変調パターンとしては自己相関ピークが小さくなるようなパターンを用いているが、実際には、Ｐ−ＳＣＨの符号系列の自己相関特性に１６チップ単位に局所ピークの現われる箇所がある。このために、遅延プロファイルには最大受信電力を持ったセルからのパスタイミングを示す相関ピークの自己相関特性に基づく局所ピークが含まれている。
【００１１】
この局所ピークは相関ピークと比べると−１２ｄＢ程度と小さいので、唯一のセルを検出すればよい場合、あるいは最大受信電力を持ったセルと変わらない受信電力を持ったセルの検出においては問題とならない。しかし、同一周波数に受信電力の大きいセルと受信電力の小さいセルが混在する場合には、大きな受信電力を持ったセルのパスタイミングを示す相関ピークの自己相関特性による局所ピークにより、受信電力の小さいセルのパスタイミングを示す相関ピークが隠れてしまい、検出が妨げられる場合がある。つまり、周辺セルの検出のためのパスの検出率が悪化してしまうおそれがあった。
【００１２】
本発明はこのような事情を考慮してなされたものであり、その目的とするところは、既検出パスとは異なるパスタイミングを良好な検出率で検出することが可能なパス検出回路を提供することにある。
【００１３】
【課題を解決するための手段】
以上の目的を達成するために本発明は、所定符号系列が伝送される所定チャネルに関する受信信号と様々な符号タイミングの前記所定符号系列との相関値をそれぞれ表わした遅延プロファイルを生成する生成手段と、この生成手段により生成された前記遅延プロファイルから既検出である既検出パスに相当する既検出パスタイミングの相関値をキャンセルするとともに、前記既検出パスタイミングに対して相対的に所定の符号タイミングに関して前記遅延プロファイルに表わされた相関値をその符号タイミングと前記既検出パスタイミングとのタイミング差に応じた所定値および前記既検出パスタイミングに関して既検出の相関値に基づいて変換することで前記遅延プロファイルを補正する補正手段と、検出手段とを備え、前記補正手段により補正されたのちの前記遅延プロファイルに基づいて前記既検出パス以外のパスの検出を検出手段により行うこととした。
【００１４】
このような手段を講じたことにより、所定符号系列が伝送される所定チャネルに関する受信信号と様々な符号タイミングの所定符号系列との相関値をそれぞれ表わしたものとして生成された遅延プロファイルが、この遅延プロファイルから既検出である既検出パスに相当する既検出パスタイミングの相関値をキャンセルするとともに、既検出パスタイミングに対して相対的に所定の符号タイミングに関して遅延プロファイルに表わされた相関値をその符号タイミングと前記既検出パスタイミングとのタイミング差に応じた所定値および既検出パスタイミングに関して既検出の相関値に基づいて変換することで補正され、この補正されたのちの遅延プロファイルに基づいて既検出パス以外のパスの検出が行われる。従って、既検出パス以外のパスの検出は、所定符号系列の自己相関特性を考慮してその影響が低減されたのちの遅延プロファイルに基づいて行われることとなる。
【００１５】
【発明の実施の形態】
以下、図面を参照して本発明の一実施形態につき説明する。
図１は本実施形態に係るパス検出回路が装備された移動通信端末の要部のブロック図である。
【００１６】
図１において、符号１を付して示すものがパス検出回路である。このパス検出回路１には、アンテナ２により得られた受信信号がＡ／Ｄ変換部３でディジタル化された上で与えられている。そしてパス検出回路１は、Ｗ−ＣＤＭＡ方式の下り伝送信号に関して、３ＧＰＰのＴＳ２５．２１１にて規定されたセルサーチにおける第一セルサーチのためのパスタイミングの検出を行う。
【００１７】
パス検出回路１は図１に示すように、マッチトフィルタ１１、プロファイル生成部１２、ＲＡＭ１３、ピーク検出部１４および制御部１５を有している。
【００１８】
マッチトフィルタ１１には、Ａ／Ｄ変換部３にてディジタル化された受信信号が入力データとして与えられる。マッチトフィルタ１１は周知の構成のものであって、上記下り伝送信号の１スロット期間中に設定された多数のサンプルポイント毎で入力データとＰ−ＳＣＨの符号系列との相関値を計算する。
【００１９】
プロファイル生成部１２は、マッチトフィルタ１１により計算される相関値を用いてＲＡＭ１３中に遅延プロファイルを生成する。
【００２０】
ＲＡＭ１３は、プロファイル生成部１２により生成される遅延プロファイルを記憶する。
【００２１】
ピーク検出部１４は、制御部１５の制御の下に、ＲＡＭ１３に記憶された遅延プロファイルにて相対的に大きなピークを有するいくつかのパス候補を検出する。
【００２２】
制御部１５は、例えばマイクロプロセッサなどを用いて構成されていて、周辺セルサーチモードにおける第一セルサーチとしてのパス検出動作を実行するための処理を行う。この制御部１５は、補正部１５ａおよび検出制御部１５ｂとして機能する。補正部１５ａは、ＲＡＭ１３に記憶された遅延プロファイルの補正を行う。検出制御部１５ｂは、補正部１５ａにより補正がなされた後に遅延プロファイルに基づくパス候補の検出を行うようにピーク検出部１４を制御する。
【００２３】
次に以上のように構成されたパス検出回路１の動作につき説明する。
【００２４】
Ｗ−ＣＤＭＡ方式は基地局間非同期システムであるため、図２に示すように互いに異なる第１および第２の基地局ＢＳ１，ＢＳ２からは、互いに異なるタイミングで下り伝送信号が送信されている。そしてこのような下り伝送信号には、全セル共通であるＰ−ＳＣＨが含まれている。
【００２５】
このような下り伝送信号は、アンテナ２により受信されたのち、Ａ／Ｄ変換部３によりディジタルデータとされた上で、マッチトフィルタ１１に与えられる。そうするとマッチトフィルタ１１は、まず入力データを２５６チップ分取り込み、その２５６チップとＰ−ＳＣＨの符号系列との相関値を計算する。以降、マッチトフィルタ１１は、１チップ分の入力データを取り込む毎に、最新の２５６チップ分のデータとＰ−ＳＣＨの符号系列との相関値を計算する。かくしてマッチトフィルタ１１は、図３に示すように１スロット分の期間に渡り、最新の２５６チップ分のデータのそれぞれとＰ−ＳＣＨの符号系列との相関値を順次計算し、それら計算した相関値をプロファイル生成部１２へと順次与える。
【００２６】
プロファイル生成部１２は、図３に示すように最初の１スロット分の期間においては、マッチトフィルタ１１から与えられる相関値をそれぞれＲＡＭ１３に書き込んで行く。しかし２スロット目以降においては、スロット内の同一サンプリングタイミングに関して既にＲＡＭ１３に記憶されている相関値と新たにマッチトフィルタ１１から与えられる相関値との平均値を算出し、その平均値をＲＡＭ１３へと記憶させる。本実施形態においては、図３に示すように予め定められたｎスロット分の期間を遅延プロファイル生成の１単位期間とする。これにより、遅延プロファイルに示される各相関値は、あるｎスロット分の時間に渡り平均化した値となり、フェージング変動の影響が軽減されたものとなる。
【００２７】
このようにして生成される遅延プロファイルは、例えば図４（ａ）に示すようなものとなる。なお図４において、横軸方向はＲＡＭ１３のアドレスを示し、サンプリングタイミング順である。また図４において縦軸方向は相関値の大きさを示している。
【００２８】
ところでこの図４（ａ）に示す遅延プロファイルには、図５に示すようなＰ−ＳＣＨの符号系列の自己相関特性の影響を受けていて、この自己相関特性による局所ピークの成分が含まれている。この局所ピークは、相関値が最大であるメインパスのタイミングに対して相対的に一定のタイミングに現れる。また局所ピークの影響の度合は、その局所ピークのタイミングとメインパスのタイミング差に応じた一律な大きさとなる。
【００２９】
そこで上述のようにプロファイル生成部１２により生成された遅延プロファイルを対象として図３に示すように補正処理を行う。この遅延プロファイルの補正処理は、制御部１５が補正部１５ａの機能により実行する。
【００３０】
図６は補正部１５ａによる補正処理のフローチャートである。
補正部１５ａはまずステップＳＴ１において、移動通信端末内の他部で既に検出されているメインパス（以下、既検出メインパスと称する）の位相および相関値を取得する。次に補正部１５ａはステップＳＴ２において、上記取得した既検出メインパスの位相に対応するサンプルポイントの相関値をＲＡＭ１３に記憶された遅延プロファイルからキャンセルする。
【００３１】
さらに補正部１５ａはステップＳＴ３において、前述したような自己相関特性の局所ピークの影響を補正する。この補正は、既検出メインパスの位相ｐｅｅｋ＿ｐｏｓｉｔｉｏｎに対して±Ｘチップ離れた位相の相関値に、既検出メインパスのピーク成分ｐｅｅｋ＿ｐｏｗのＹ＊２５５の補正を行うことを
ｐ＿ｍｆｐｗＩ［ｐｅｅｋ＿ｐｏｓｉｔｉｏｎ  ±  Ｘ］  −＝（ｐｅｅｋ＿ｐｏｗ＊Ｙ）／２５５；
と表わすとして、以下の各補正を行う。
【００３２】
ｐ＿ｍｆｐｗＩ［ｐｅｅｋ＿ｐｏｓｉｔｉｏｎ  ±  ２］  −＝（ｐｅｅｋ＿ｐｏｗ＊６５）／２５５；
ｐ＿ｍｆｐｗＩ［ｐｅｅｋ＿ｐｏｓｉｔｉｏｎ  ±  ６］  −＝（ｐｅｅｋ＿ｐｏｗ＊６３）／２５５；
ｐ＿ｍｆｐｗＩ［ｐｅｅｋ＿ｐｏｓｉｔｉｏｎ  ±  ７］  −＝（ｐｅｅｋ＿ｐｏｗ＊５０）／２５５；
ｐ＿ｍｆｐｗＩ［ｐｅｅｋ＿ｐｏｓｉｔｉｏｎ  ±  ９］  −＝（ｐｅｅｋ＿ｐｏｗ＊５０）／２５５；
ｐ＿ｍｆｐｗＩ［ｐｅｅｋ＿ｐｏｓｉｔｉｏｎ  ±  ３２］  −＝（ｐｅｅｋ＿ｐｏｗ＊３１）／２５５；
ｐ＿ｍｆｐｗＩ［ｐｅｅｋ＿ｐｏｓｉｔｉｏｎ  ±  ９６］  −＝（ｐｅｅｋ＿ｐｏｗ＊３３）／２５５；
ｐ＿ｍｆｐｗＩ［ｐｅｅｋ＿ｐｏｓｉｔｉｏｎ  ±  １１２］  −＝（ｐｅｅｋ＿ｐｏｗ＊４７）／２５５；
ｐ＿ｍｆｐｗＩ［ｐｅｅｋ＿ｐｏｓｉｔｉｏｎ  ±  １６０］  −＝（ｐｅｅｋ＿ｐｏｗ＊３１）／２５５；
ｐ＿ｍｆｐｗＩ［ｐｅｅｋ＿ｐｏｓｉｔｉｏｎ  ±  １７６］  −＝（ｐｅｅｋ＿ｐｏｗ＊４７）／２５５；
ｐ＿ｍｆｐｗＩ［ｐｅｅｋ＿ｐｏｓｉｔｉｏｎ  ±  ２２４］  −＝（ｐｅｅｋ＿ｐｏｗ＊３１）／２５５；
なおこれらの各補正は、既検出パスのピーク成分の１／８までの局所ピークを考慮する場合の例である。またＸおよびＹの値は図５に示すＰ−ＳＣＨの自己相関特性に基づいて予め定めた値である。
【００３３】
以上のような補正処理が行われることにより、ＲＡＭ１３に記憶された遅延プロファイルは、例えば図４（ａ）に示すようなものから図４（ｂ）に示すようなものへと変化する。
【００３４】
このような局所ピークの影響の補正を全て終えたならば補正部１５ａは補正処理を終了する。そして補正部１５ａが補正処理を終了したことに応じて図３に示すようにピーク検出が行われるよう、検出制御部１５ｂがピーク検出部１４を制御する。
【００３５】
ピーク検出部１４では、その時点でＲＡＭ１３に記憶されている遅延プロファイル内で、すなわち補正された後の遅延プロファイル内で、大きい方から順にいくつかの相関値を検出し、その相関値が得られたタイミングをパス候補としてセルサーチの後段のステップに送る。
【００３６】
かくして例えば図４の例では、図４（ａ）に示す初期の遅延プロファイルでは、第２セルのパスタイミングに相当するパスタイミングの相関値が自己相関特性による局所ピークの影響で大きくなった相関値よりも小さくなってしまっている。しかし、図４（ｂ）に示す補正後の遅延プロファイルでは、自己相関特性による局所ピークの影響が補正されて本来の相関値が各パスタイミングに現れていることにより、第２セルのパスタイミングに相当するパスタイミングの相関値が他のパスタイミングの相関値に比べて大きくなっている。この結果、第２セルのパスタイミングがパス候補としてピーク検出部１４により確実に検出されることとなる。
【００３７】
なお、本発明は上記実施形態に限定されるものではない。例えば自己相関特性の局所ピークの影響を補正する対象とするサンプルポイントは上記のサンプルポイントのうちの一部のみとしても良いし、あるいは上記以外のサンプルポイントを加えるようにしても良い。対象とするサンプルポイントの数を増やすほど、自己相関特性の局所ピークの影響を低減することができ、逆に対象とするサンプルポイント数を減少するほど補正に係る処理負担を軽減することができる。
【００３８】
また、３ＧＰＰ  ＴＳ２５．２１１に準拠したＷ−ＣＤＭＡ方式の移動通信端末に適合するものには限らず、異なる符号系列に基づくパス検出を行うパス検出回路においても本発明の適用が可能である。
【００３９】
また、相関値をキャンセルする既検出パスをメインパスのみとしているが、他の既検出パスについても同様に相関値をキャンセルすることとしても良い。なおこの場合、複数の既検出パスに関する局所ピークの成分が複合して含まれるパスタタイミングについては、複数の既検出パスのそれぞれに関して上記の補正を順次行う。
【００４０】
このほか、本発明の要旨を逸脱しない範囲で種々の変形実施が可能である。
【００４１】
【発明の効果】
本発明によれば、遅延プロファイルを、この遅延プロファイルから既検出である既検出パスに相当する既検出パスタイミングの相関値をキャンセルするとともに、既検出パスタイミングに対して相対的に所定の符号タイミングに関して遅延プロファイルに表わされた相関値をその符号タイミングと前記既検出パスタイミングとのタイミング差に応じた所定値および既検出パスタイミングに関して既検出の相関値に基づいて変換することで補正した上で、この補正したのちの遅延プロファイルに基づいて既検出パス以外のパスの検出を行うこととしたので、既検出パス以外のパスの検出は、所定符号系列の自己相関特性を考慮してその影響が低減されたのちの遅延プロファイルに基づいて行われることとなり、この結果、既検出パスとは異なるパスタイミングを良好な検出率で検出することが可能となる。
【図面の簡単な説明】
【図１】本発明の一実施形態に係るパス検出回路が装備された移動通信端末の要部のブロック図。
【図２】複数の基地局からのＰ−ＳＣＨの送信タイミングのずれを示す図。
【図３】図１に示すパス検出回路の各処理の実行タイミングを示すタイミング図。
【図４】補正処理による遅延プロファイルの変化の一例を示す図。
【図５】Ｐ−ＳＣＨの符号系列の自己相関特性を示す図。
【図６】補正部１５ａによる補正処理のフローチャート。
【符号の説明】
１…パス検出回路
２…アンテナ
３…Ａ／Ｄ変換部
１１…マッチトフィルタ
１２…プロファイル生成部
１３…ＲＡＭ
１４…ピーク検出部
１５…制御部
１５ａ…補正部
１５ｂ…検出制御部
【図１】
2005039464.tif 000003
【図２】
2005039464.tif 000004
【図３】
2005039464.tif 000005
【図４】
2005039464.tif 000006
【図５】
2005039464.tif 000007
【図６】
2005039464.tif 000008